(57)【要約】  【課題】  ケーブル牽引用紐を電柱間に簡単かつ確実にかけわたしのできる先導具を提供する。  【解決手段】  電柱間に架設した吊線ｍに巻回支持させた螺旋状ハンガーｈの内側に配置し、しかも、ケーブル用牽引紐Ｒの先端を接続する先導具主体１を備え、該先導具主体１に、周面に前記吊線ｍが係合する係合溝を備えた駆動ローラ４と従動ローラ５を回動自在に枢着すると共に、前記係合溝４ａ，５ａに前記吊線ｍが係合した状態で該吊線ｍが吸着する磁石６Ａ，６Ｂ，６Ｃを前後に並設する。そして、前記駆動ローラ４を前記先導具主体１に搭載した電源を駆動源とするモータ８に連けいする。【選択図】    図２
2008154421.tif 000002
【特許請求の範囲】
【請求項１】
電柱間に架設した吊線に巻回支持させた螺旋状ハンガーの内側に配置し、しかも、ケーブル用牽引紐の先端を接続する先導具主体を備え、該先導具主体に、周面に前記吊線が係合する係合溝を備えた駆動ローラと従動ローラを回動自在に枢着すると共に、前記係合溝に前記吊線が係合した状態で該吊線が吸着する磁石を前後に並設し、前記駆動ローラを前記先導具主体に搭載した電源を駆動源とするモータに連けいした、ケーブル用牽引紐の先導具。
【発明の詳細な説明】
【技術分野】
【０００１】
本発明は、電柱間に架設した吊線（概し、メッセンジャーワイヤー）に螺旋状ケーブルハンガーを巻回して前記電柱間に架設し、該螺旋状ケーブルハンガーに受支させるようにしてケーブルを電柱間に新たに架設する際に、ケーブルを前記吊線に沿って移動させるために用いるケーブル用牽引紐の先導具に関するものである。すなわち、一方の電柱から他の一方の電柱位置までわたしたケーブル用牽引紐を牽引して該牽引紐の末端側に接続したケーブルを螺旋状ケーブルハンガーに受支案内させて移動させることにより、ケーブルは電柱間に架設されるのであるが、本発明はケーブル用牽引紐の先端を一方の電柱側から他の一方の電柱位置に移動させるために用いるケーブル用牽引紐の先導具に関するものである。
【背景技術】
【０００２】
メインシャフトの先導頭部側に基部を止着して放射状に配した弾性杆の後端部を前記メインシャフトの後端部側において止着して前記弾性杆を円弧状にして螺旋状ケーブルハンガーの内縁に配置し、前記メインシャフトの後端に接続した剛性ワイヤー（ケーブル牽引用の）で押圧して前記メインシャフトを電柱間に移動させるようにした構造のものがある（例えば、特許文献１）。
【０００３】
【特許文献１】特開２００６−２５５９０号公報
【発明の開示】
【発明が解決しようとする課題】
【０００４】
前記従来構造のものは、剛性ワイヤーの剛性を利用して移動させる構成を採るため、その移動距離には自ら限界があり、また、高所での作業のため煩雑であり、危険性も伴う。
【０００５】
本発明は、このような従来例の欠点に着目し、ケーブル牽引用紐を電柱間に簡単かつ確実にかけわたしのできる先導具を提供することを目的として創案したものである。
【課題を解決するための手段】
【０００６】
電柱間に架設した吊線に巻回支持させた螺旋状ハンガーの内側に配置し、しかも、ケーブル用牽引紐の先端を接続する先導具主体を備え、該先導具主体に、周面に前記吊線が係合する係合溝を備えた駆動ローラと従動ローラを回動自在に枢着すると共に、前記係合溝に前記吊線が係合した状態で該吊線が吸着する磁石を前後に並設し、前記駆動ローラを前記先導具主体に搭載した電源を駆動源とするモータに連けいした構成としたものである。
【発明の効果】
【０００７】
本発明によれば、電柱間に架設した吊線を駆動ローラと従動ローラのそれぞれの周面に設けた係合溝に係合するようにして先導具主体を前記吊線に組合わせると、先導具主体に備えた磁石の作用により先導具主体は吊線に組合わされた状態を維持し、この状態にして駆動モータを作動させると、該モータに連けいした駆動輪は転動し、吊線に沿って移動することになり、該移動に伴って従動ローラも吊線に吸着した状態で転動、移動し、ケーブル牽引紐の先端を一方の電柱から他方の電柱へと移動させることができ、ケーブル用の牽引紐を電柱間に張設した吊線に沿って移動させるに好適な先導具を提供できる。
【実施例】
【０００８】
図面は本発明に係るケーブル牽引紐の先導具の一実施例を示し、図１は使用状態を示す正面図、図２は一部を欠截して示した拡大縦断面図、図３は図１のｘ−ｘ線断面図、図４は図１のｙ−ｙ線断面図である。
【０００９】
図中、１は前後方向に長い方形中空体で構成して軽量化を図った先導具主体で、先導具Ａは、この主体１の先端側に駆動部２を、後端側に従動部３をそれぞれ備え、該駆動部２を構成する駆動ローラ４と従動部３を構成する従動ローラ５および駆動部２と従動部３の近傍すなわち主体１の先後面側に装置した磁石６Ａ，６Ｂ，６Ｃを用いて前記吊線ｍに沿って移動するようにしたものである。
【００１０】
駆動部２は、支軸７によって転動自在にして主体１に枢着し、該主体１の上縁より一部が突出するように配した前記駆動ローラ４と、電池（図示省略）を電源として前記主体１に収設した駆動モータ８との間に歯車（伝動）装置９を介在させて構成し、主体１表面に設けたスイッチ装置１０によって駆動モータ８を作動させて前記歯車装置９を介して駆動ローラ４を正逆（この選択はスイッチ装置１０で行う）自在に転動できるようにしてあり、駆動ローラ４はその周側に係合溝４ａを備え、前記吊線ｍがこれに係合する（相対的に）ようになっている。
【００１１】
歯車装置９は、前記駆動ローラ４の片面側に装置した歯車部９ａに第一、第二の仲介歯車９ｂ，９ｂ´を順次かみ合わせ、第二仲介歯車９ｂと同軸のクラウン歯車９ｃをモータ軸８ａに設けた駆動歯車９ｄにかみ合わせて構成し、駆動ローラ４は駆動モータ８の回転速度より減速した速度で回転（転動）し、吊線ｍに沿って走行する。
【００１２】
また、前記駆動ローラ４は、前記主体１の上縁に設けた窓口１１Ａを通じて主体１内部より突出させたものであるが、窓口１１Ａの先後両側の主体１部分には、前記磁石６Ａ，６Ｂを固着して、ローラ４の係合溝４ａに吊線ｍを係合したとき該吊線ｍに吸着して吊線ｍに支持されるようにしてある。
【００１３】
前記従動部３は、支軸１２によって主体１に揺動自在に枢着した、車輪枠１３の前記支軸１２を中心とする前後前記従動ローラ５，５を転動自在に枢着して前記駆動ローラ４と同様に前記主体１の上縁より一部が突出するように配して構成したものである。
【００１４】
車輪枠１３は、枠板１３ａ，１３ａを前記従動ローラ５を枢支した車軸１２´，１２´によって接続して構成し、長手方向（主体１の前後方向）の中央部を前記支軸１２によって主体１に揺動自在に枢着し、前後両側に前記従動ローラ４を配設したものである。
【００１５】
そして、従動ローラ５，５は駆動ローラ４と同様に窓口１１Ｂ，１１Ｃを通じて主体１内部より突出させたものであるが、これら従動ローラ５，５の間に前記主体１に取付けて前記磁石６Ｃを設け、ローラ５の周側に設けた係合溝５ａに吊線ｍを係合した状態で該吊線ｍに磁石６Ｃが吸着して前記駆動部２と同様に従動部３側も吊線ｍに支持される。
【００１６】
図示省略した前記電池は、主体１に設けた電池室に交替自在に収設するようにしてあり、図示１６は電池室の開閉蓋である。
【００１７】
そして、吊線ｍに支持させた螺旋状ケーブルハンガーｈの内側に先導具Ａを配するようにして駆動ローラ４と従動ローラ５の各係合溝４ａ，５ａを前記吊線ｍに係合させるようにすると、磁石６Ａ，６Ｂ，６Ｃは吊線ｍに吸着する位置に配しているので（単一な磁石は、先導具主体１の中央部に配しても良く、従動部３側の磁石６Ｃは本体１に固着しても良い）、その吸着（吊線ｍに対する）によって先導具Ａは吊線ｍに吊るされた状態となる。
【００１８】
なお、実施例の場合は、磁石６Ａ，６Ｂ，６Ｃは吊線ｍと隙間を置いて吸着している。
【００１９】
この状態で、スイッチ装置１０によって回路を閉じて駆動モータ８を作動させると、その作動によって歯車装置９を介して駆動ローラ４は回動し、先導具Ａは吊線ｍに吸着されつつ、該吊線ｍに沿って移動し、駆動ローラ４の転動に伴って従動ローラ５も吊線ｍに吸着しつつ転動し、従って、先導具Ａは、一方の電柱から他の一方の電柱側へと両電柱間に張架した前記吊線ｍに沿って前進し、前進方向の後端の接続材１ｂに接続したケーブル用牽引紐Ｒの先端を前記一方の電柱から他の一方の電柱側へと移動させることができるのである。
【００２０】
なお、スイッチは地上から遠隔操作によってその操作を行うようにすると、作業性を向上させることができる。
【図面の簡単な説明】
【００２１】
【図１】使用状態を示す正面図。
【図２】一部を欠截して示した拡大縦断面図。
【図３】図１のｘ−ｘ線断面図。
【図４】図１のｙ−ｙ線断面図。
【符号の説明】
【００２２】
１                先導具主体
４                駆動ローラ
５                従動ローラ
４ａ，５ａ        係合溝
６Ａ，６Ｂ，６Ｃ  磁石
８                モータ
【図１】
2008154421.tif 000003
【図２】
2008154421.tif 000004
【図３】
2008154421.tif 000005
【図４】
2008154421.tif 000006